(57)【要約】【課題】着用のより良好な快適さを可能にする改善されたマスクの提供。【解決手段】目の保護マスク（１）は、目の保護スクリーン（３）と、スクリーンを支持する外枠（２）と、使用者の鼻の一部と接触するようにされた鼻部分（５２）、及び使用者の額の一部と接触するようにされた前頭部分（５１）を含み、かつ外枠と連携する快適要素（５）とを含む。所定の圧縮力によって押圧された鼻部分の材料の最大圧縮長が、同じ所定の圧縮力によって押圧された前頭部分の材料の圧縮超よりも大きくなるように、鼻部分に使用される材料が、前頭部分に使用される材料と異なる機械的圧縮特性を有している。【選択図】図２
2016107098.tif 000002
【特許請求の範囲】
【請求項１】
目の保護スクリーン（３）と、
前記スクリーンを支持する外枠（２）と、
使用者の鼻の一部と接触するようにされた鼻部分（５２）、及び使用者の額の一部と接触するようにされた前頭部分（５１）を含み、該外枠に取り付けられている快適要素（５）と
を含む野外スポーツを行うための目の保護マスク（１）であって、
所定の圧縮力によって押圧された前記鼻部分の最大圧縮長が、同じ所定の圧縮力によって押圧された前記前頭部分の圧縮長よりも大きくなるように、前記鼻部分に使用される材料が、前記前頭部分に使用される材料とは異なる機械的圧縮特性を有することを特徴とする、目の保護マスク。
【請求項２】
前記鼻部分又は前頭部分を構成する少なくとも１つの材料が複合材料であり、該複合材料は、複数の異なる材料の層（５１１、５１２、５２１、５２２）を含むことを特徴とする、請求項１に記載の目の保護マスク（１）。
【請求項３】
前記前頭部分の材料又は前記鼻部分の材料は、前記外枠（２）から、第１のタイプの第１のフォーム層（５１１、５２１）と、第２のタイプの第２のフォーム層（５１２、５２２）とを連続して含み、前記第１の層のフォーム材料の密度は、前記第２の層のフォーム材料の密度よりも高いことを特徴とする、請求項２に記載の目の保護マスク（１）。
【請求項４】
前記鼻部分（５２）の前記第１の層の厚さ（ｅ５２１）は、前記鼻部分の厚さ（ｅ５２）の１０〜３０％であり、かつ前記鼻部分（５２）の前記第２の層の厚さ（ｅ５２２）は、前記鼻部分の厚さ（ｅ５２）の７０〜９０％であることを特徴とする、請求項３に記載の目の保護マスク（１）。
【請求項５】
前記鼻部分の第２の層の厚さ（ｅ５２２）は、前記前頭部分の第２の層の厚さ（ｅ５１２）よりも厚いことを特徴とする、請求項４に記載の目の保護マスク（１）。
【請求項６】
前記鼻部分及び前記前頭部分の第２の層（５１２、５２２）は、同じタイプのフォーム材から形成されることを特徴とする、請求項５に記載の目の保護マスク（１）。
【請求項７】
前記鼻部分の前記第２の層（５２２）のフォーム材の密度は、前記前頭部分の前記第２の層（５１２）のフォーム材の密度よりも低いことを特徴とする、請求項３又は４に記載の目の保護マスク（１）。
【請求項８】
前記鼻部分の前記第１の層（５２１）のフォーム材は、前記前頭部分の前記第１層（５１１）のフォームと異なる性質であることを特徴とする、請求項３乃至６のいずれか１項に記載の目の保護マスク（１）。
【請求項９】
前記鼻部分の厚さ（ｅ５２）は、前記前頭部分の厚さ（ｅ５１）よりも厚いことを特徴とする、請求項１乃至８のいずれか１項に記載の目の保護マスク（１）。
【請求項１０】
前記快適要素は、２つの側方部分（５３、５４）を含み、各側方部分は、使用者の顔の側面のこめかみ及び頬と接触するようにされており、各側方部分は、前記前頭部分の一端を前記鼻部分の一端に連結し、前記側方部分に使用される材料は、前記鼻部分及び前頭部分に使用される材料に対して中間の機械的圧縮特性を有することを特徴とする、請求項１乃至９のいずれか１項に記載の目の保護マスク（１）。
【請求項１１】
前記快適要素（５）の構成部分（５１、５２、５３、５４）間の材料層（５１１、５１２、５２１、５２２、５３１、５３２、５４１、５４２）の数が異なることを特徴とする、請求項１乃至１０のいずれか１項に記載の目の保護マスク（１）。
【請求項１２】
前記快適要素（５）は、少なくとも２つの異なる第１及び第２の部分を含み、該第１の部分（５１）は前記鼻部分を含み、該第２の部分（５２）は前記前頭部分を含むことを特徴とする、請求項１乃至１１のいずれか１項に記載の目の保護マスク（１）。
【請求項１３】
前記快適要素（５）は、４つの異なる部分を含み、該４つの異なる部分は、前頭部分（５１）と、鼻部分（５２）と、２つの側方部分（５３、５４）であることを特徴とする、請求項１２に記載の目の保護マスク（１）。
【請求項１４】
前記快適要素（５）の少なくとも一部（５１、５２、５３、５４）は、熱成形部分であることを特徴とする、請求項１乃至１３のいずれか１項に記載の目の保護マスク（１）。
【請求項１５】
前記快適要素（５）の少なくとも一部（５１、５２、５３、５４）は、取り外し可能であることを特徴とする、請求項１乃至１４のいずれか１項に記載の目の保護マスク（１）。
【発明の詳細な説明】
【技術分野】
【０００１】
本発明は、目の保護マスク、特にアルペンスキー又はスノーボード、オフロード自転車又はモトクロスのような野外スポーツを行う際に目を保護するための保護マスクに関する。
【背景技術】
【０００２】
保護マスクは通常、風、水、泥又は太陽光線から使用者の目を保護するためにある種の野外スポーツを行う際に使用される。
【０００３】
かかるマスクは、一般的に透明な保護スクリーンを支持する外枠と、外枠の両側に固定されるベルトとを含む。ベルトは、使用者の頭蓋を部分的に囲んで、マスクを顔の上部に維持することを可能にする。快適要素は、通常マスク着用の快適さを改善するために外枠に付加されている。これらの快適要素は、外枠及び顔の間の境界面に置かれる。快適要素は、典型的には、使用者の額の一部、こめかみ、頬、及び鼻の一部で支承される、目を囲むフォーム材による帯体の形態を有する。
【０００４】
これらの快適要素は、緩衝特性及び接触面のざらつきによって特徴付けられる。実際に、マスクを目の高さに維持するために、ベルトを介して顔に対して付勢して外枠を位置づける必要がある。快適要素が存在しない場合、顔に対するプラスチックの外枠の接触は、快適でない。その上、外枠は、ほとんど変形せず、かつ顔の様々な外形への良好な適応を可能にしない。マスクの内側の気密性は、あまり良好でなくなり、空気の流れが、マスクの内側に入り込み、そのことは、目にとっても不快となる。これらの問題を取り除くために、一般的には、外枠上に快適要素としてフォーム材が付加されている。このフォーム材は、顔の外形への適応、接触圧力の緩和、手触りの良さ、及び求められる絶縁性をもたらす。
【０００５】
米国特許出願公開第２０１１／０２８９６６２号公報は、粘性フォーム材で製作される快適要素を提案する。この材料は、フォームの局所的変位可能な限度内で、外形に良好に適応される。他方では、この材料の成形方法はほとんど明らかでない。
【０００６】
米国特許出願公開第２０１３／００６７６２６号公報は、多層快適要素を有し、快適要素の厚さは、上部及び下部中央領域よりも側方領域で大きい。この構造は、使用者がヘルメットを着用する時に側方領域の良好な設置を可能にする。
【０００７】
先行技術の快適要素は、目の周囲に対してほぼ同じ圧縮特性を有する。多くの場合に、ほぼ一定であり、かついずれにせよ額及び鼻の接触領域で薄い厚みを有する。しかるに、個人によって顔の外形は、非常に様々であり、かつ特に鼻の高さが様々である。このように、使用者の外形に応じて、前頭領域及び鼻領域ではほぼ同様の外形が適用されるが、このことは、あまり快適でない。鼻は、その場合に不快な圧力を受け得る。その上、鼻の周囲を強固に包みこんでしまうことは、あまり快適ではなくよろしくないことは明らかである。鼻領域の高さでの快適要素の変形は、一般的に小さいため、マスクの気密性は、個人によっては良好でない場合がある。
【先行技術文献】
【特許文献】
【０００８】
【特許文献１】米国特許出願公開第２０１１／０２８９６６２号
【特許文献２】米国特許出願公開第２０１３／００６７６２６号
【発明の概要】
【発明が解決しようとする課題】
【０００９】
本発明の目的は、着用のより良好な快適さを可能にする改善されたマスクを提案することである。
【００１０】
１つの目的は、特に個人の様々な外形に更に良好に適応することである。
【００１１】
もう１つの目的は、確定された領域で顔に対するマスクの維持圧力の分配を制御することである。
【００１２】
もう１つの目的は、鼻の高さに及ぼされる圧力を減少させることである。
【００１３】
もう１つの目的は、マスクの内側の気密性を改善することである。
【課題を解決するための手段】
【００１４】
本発明は、
目の保護スクリーンと、
スクリーンを支持する外枠と、
使用者の鼻の一部と接触するようにされた鼻部分、及び使用者の額の一部と接触するようにされた前頭部分を含み、外枠に取り付けられる快適要素とを含む野外スポーツを行うための目の保護マスクを提案する。
【００１５】
マスクは、所定の圧縮力によって押圧された鼻部分の材料の最大圧縮距離が、同じ所定の圧縮力によって押圧された前頭部分の材料の圧縮距離よりも大きくなるように、鼻部分に使用される材料が、前頭部分に使用される材料と異なる機械的圧縮特性を有することを特徴とする。
【００１６】
この構造により、快適要素の鼻部分は、前頭部分よりもより変形できる。従って、鼻の複雑な幾何学的形状に良好に適応でき、かつ敏感な領域である鼻翼の高さでより低い圧力を及ぼせる。鼻孔が完全に開放したままであり、鼻翼が押し付けられないので、使用者の呼吸は、ほぼ妨害されることはない。快適要素は、鼻の外形の曲面により良好に適応して、この領域における気密性を改善する。
【００１７】
本発明にかかるマスクは、好適には、技術的に許容可能なあらゆる組み合わせで選択される、１つ又は複数の次の特性を組み込むことができる。
・鼻及び／又は前頭部分を構成する少なくとも１つの材料が複合材料であり、この複合材料は、複数の異なる材料の層を含む。
・前頭部分の材料及び／又は鼻部分の材料は、外枠から、第１のタイプの第１のフォーム材の層と、第２のタイプの第２のフォーム材の層とを連続して含み、第１の層のフォーム材の密度は、第２の層のフォーム材の密度よりも高い。
・鼻部分の第２の層の厚さは、前頭部分の第２の層の厚さよりも大きい。
・２つの第２の層は、同じタイプのフォーム材から構成される。
・鼻部分の第２の層のフォーム材の密度は、前頭部分の第２の層のフォーム材の密度よりも低い。
・鼻部分の第１の層のフォーム材は、前頭部分の第１の層のフォーム材と異なる性質である。
・鼻部分の厚さは、前頭部分の厚さよりも大きい。
・快適要素は、２つの側方部分を含み、各側方部分は、使用者の顔の側面のこめかみ及び頬と接触するようにされており、各側方部分は、前頭部分の一端を鼻部分の一端に連結する。
・側方部分に使用される材料は、鼻及び前頭部分に使用される材料に対して中間の機械的圧縮特性を有する。
・快適要素の様々な部分間の物質層の数は異なる。
・快適要素は、少なくとも２つの異なる第１及び第２の部分を含み、第１の部分は、鼻部分を構成し、第２の部分は、前頭部分を構成する。
・快適要素は、４つの異なる部分を含み、それは、前頭部分と、鼻部分と、２つの側方部分とを含む。
・快適要素の少なくとも一部は、熱成形により製作される。
・快適要素の少なくとも一部は、取り外し可能である。
【００１８】
本発明の他の特性及び利点は、非限定的な実施形により、本発明がいかにして実現されるかを例示する添付図面を参照して、以下に続く記載によりより良く理解されるであろう。
【図面の簡単な説明】
【００１９】
【図１】本発明の第１の実施形態によるマスクの前方斜視図である。
【図２】ベルトのないマスクの後方斜視図である。
【図３】ベルトのないマスクの底面図である。
【図４】ベルトのないマスクの簡略化された背面図である。
【図５】第２の実施形態の簡略化された背面図である。
【図６】第３の実施形態の簡略化された背面図である。
【発明を実施するための形態】
【００２０】
マスク１は、目の保護スクリーン３を支持する外枠２を含む。ベルト４は、外枠２の側方端部に固定される。ベルト４及び外枠２は、マスクの定位置での維持を確実にするために使用者の頭蓋を囲むための環状体を形成する。
【００２１】
一連の記載において、「水平」、「垂直」、「上部」、「下部」、「高い」、「低い」、「前部」、「後部」、「前方」、「後方」のような用語が使用される。これらの用語は、使用者が立った姿勢を保ち、頭を真っ直ぐにする時に使用者の顔に対してマスクが占める通常の位置と関係して、実際に相対的に解釈されるべきである。マスクの「後部」又は「背部」とは、使用者の頭部や目と向かいあう部分を指し示す。
【００２２】
アウターフレーム又は外枠２には、外枠の後部において、外枠及び使用者の顔の間の境界面に配置された快適要素５が支承されている。快適要素は、目を囲む顔の領域と接触するために設けられている。
【００２３】
快適要素５は、使用者の額の一部と接触するようにされた少なくとも１つの前頭部分５１と、使用者の鼻の一部と接触するようにされた鼻部分５２とを含む。前頭部分は、眉毛のほぼ上に位置する額の領域を被覆することになる。快適要素は、頭蓋の前頭骨の存在のために、このようにして「硬い」領域で支えられる。鼻部分は、鼻梁、鼻の側面を、鼻翼の境目を被覆するようにされている。この鼻部分は、頬の中央部分に伸長してもよい。この部位において、快適要素は、このような「柔らかい」領域に支えられ、そして、このような領域は、頭蓋骨よりも脆い軟骨の存在のために、敏感である。
【００２４】
快適要素は、前頭部分及び鼻部分を統合する単一部材であってもよい。あるいは、快適要素は、各々が外枠に連結される複数の異なる部材を含んでもよい。例えば、前頭部分及び鼻部分は、２つの異なる部分から構成されるようにしてもよい。
【００２５】
快適要素は、少なくとも２つの部分を含むことができる。各部分は、顔に対する特定の支承領域に対応する。各部分は、特定の機械的特性を有する材料から構成される。本発明の場合、材料は、単一の材料層又は複数の異なる材料層から構成される複合材料であってもよい。後者の場合に、この材料は、「積層材料」に対応する。
【００２６】
本発明は、所定の力（圧縮力）によって圧縮される鼻部分の材料の最大圧縮長が、同じ所定の力（圧縮力）によって圧縮される前頭部分の材料の圧縮長よりも大きくなるように、鼻部分に使用される材料が、前頭部分に使用される材料と異なる機械的圧縮特性を有することによって特徴付けられる。換言すると、快適要素の前頭部分及び鼻部分に対して同じ所定の圧縮力を及ぼした場合、鼻部分の材料の方が変形量が大きいように構成されている。尚、「圧縮長」とは、圧縮変位の長さを言う。
【００２７】
快適要素の一部の圧縮性能は、快適要素の、その厚さにおける、すなわち顔及び外枠の間の快適要素の圧縮を示す水平方向に沿う圧縮に対応する。圧縮力は、従って快適要素の厚さに沿って向けられた方向Ｘに及ぼされる力である。圧縮長は、その厚さ方向Ｘに沿う圧縮力を及ぼす顔の部位の変動に対応する。この圧縮長は、所定の圧縮力により変位しない部位の顔の位置と、所定の圧縮応力によって変位する部位の顔の位置との間の差に等しい。
【００２８】
前頭部と鼻部分間におけるこの圧縮長の差を得るために、複数の解決策を考慮することができる。
【００２９】
第１の解決策の場合においては、鼻部分５２の少なくとも１つの層が、前頭部分５１の少なくとも１つの層の材料よりも柔軟な材料から構成される。従って、鼻部分のより柔軟な材料は、前頭部分に使用される材料よりもより変形しやすいように、例えば、種々の密度を有するフォーム材を使用できる。鼻部分に関して、前頭部分に使用されるフォーム材よりも低い密度を有するフォーム材を使用することができる。このようにして、鼻部分のフォーム材は密度が低いため、前頭部分のフォーム材よりもより変形しやすい。鼻部分及び／又は前頭部分は、単層又は多層であってもよい。鼻部分の厚さは、前頭部分の厚さと同じでも、又は異なっていてもよい。
【００３０】
第２の解決策の場合においては、鼻部分の少なくとも１つの層の厚さは、前頭部分の少なくとも１つの層の厚さよりも厚く（大きく）構成される。鼻部分の層は、より厚い構成なので、変形による圧縮長をより大きく取ることができる。鼻部分の層に使用される材料と、前頭部分の層に使用される材料とが同じであっても、又は異なっていてもよく、例えば、同じ密度又は異なる密度を有するフォーム材を使用することができる。また、鼻部分及び／又は前頭部分は、単層又は多層であってもよい。
【００３１】
このようにして、材料の機械的特性、とりわけ機械的圧縮特性を調節するために、材料が単層又は多層であろうとも、少なくとも１つの層に使用される材料の性質を変えたり、また、少なくとも１つの層の厚さを変化させるようにしてもよい。
【００３２】
鼻部分及び／又は前頭部分の層を製作するために、ポリウレタン（ＰＵ）フォームを好適には使用することができる。あるいは、小さな力に対して大きな変形を可能にする他の材料を使用することもできる。また、ある層に関しては、ポリ塩化ビニル（ＰＶＣ）、ポリエチレン（ＰＥ）、エチレン酢酸ビニル（ＥＶＡ）のフォーム材のような他のタイプのフォーム材も使用できる。
【００３３】
図１から図３に例示された本願発明の実施例において、快適要素５は、外枠２の背面に固定された複数の異なる部分を含む。
【００３４】
第１の部分は、使用者の額の一部を覆う厚さｅ５１の前頭部分５１を構成する。この前頭部分は、複合材料から構成される、すなわち複数の層を含む。厚さｅ５１１の第１層５１１は、外枠２の背面に固定される。この例において、この第１層は、第１のタイプのフォーム材で形成される。具体的には、この第１層はポリ塩化ビニルフォームで形成される。厚さｅ５１２の第２の層５１２は、第１層５１１に固定される。第２の層は、外枠から遠ざかる方向において、厚さ方向において第１層に積層される。この例において、この第２の層は、第２のタイプのフォーム材で形成される。具体的には、第２の層は密度約２０ｋｇ／ｍ３のポリウレタンフォームで形成される。最後に、薄い布地部５１３は、第２の層５１２に固定される。この布地部は、厚さ方向において第２の層に積層される。この布地部は、接触の際に快適さをもたらす。この布地部は、好適には接触の際の心地よさ、呼吸適合性、及び汗に対する湿度吸収の特性を有する。層の配置は、前頭部分の厚さｅ５１が、第１層ｅ５１１、第２の層ｅ５１２、及び布地部の厚さの和に対応するようになっている。前頭部分５１の材料は、このようにして外枠２から第１層５１１と、第２の層５１２と、布地部５１３とを連続して含む。実施形態によれば、第１層の厚さｅ５１１は、前頭部分の厚さｅ５１の３０〜５０％である。第２の層の厚さｅ５１２は、前頭部分の厚さｅ５１の５０〜７０％である。例えば、第１層の厚さｅ５１１は、約４ミリメートルであり、かつ第２の層の厚さｅ５１２は、約８ミリメートルである。前頭領域において、快適要素は、外枠の良好な維持を、特に垂直方向における良好な維持を確実にしなければならない。このために、顔との接触圧力は、マスクが揺れ動く、又は垂直に移動することを防止するために、それなりの大きさの接触圧力を必要とする。その上、前頭骨の存在は、かなり大きな圧力を不快感なしに受容することを可能にする。同様に、快適要素の前頭部分は、必ずしも大きく変形されるべきでなく、反対に適応した圧力による良好な設置を可能にすべきである。従って、この前頭部分の良好な弾性の戻りを有することが好ましい。そのために、ここでは、第１層５１１に使用されるフォーム材は、第２の層５１２に使用されるフォームよりも明らかに高い弾性率を有している。快適さは、第２の層によってもたらされ、マスクの維持は、第１層の剛性性能によってもたらされる。
【００３５】
第２の部分は、使用者の鼻の一部を覆う厚さｅ５２の鼻部分５２を構成する。この鼻部分は、複合材料から構成される、すなわち複数の層を含む。厚さｅ５２１の第１層５２１は、外枠２の背面に固定される。この実施例において、この第１層は、第１のタイプのフォーム材で形成される。具体的には、第１層は密度約６０ｋｇ／ｍ３のポリウレタンフォームで形成される。厚さｅ５２２の第２の層５２２は、第１層５２１に固定される。第２の層は、外枠から遠ざかる方向において、厚さ方向において第１層に積層される。この実施例において、この第２の層は、第２のタイプのフォーム材で形成される。具体的には、第２の層は密度約２０ｋｇ／ｍ３のポリウレタンフォームで形成される。最後に、薄い布地部５２３が、第２の層５２２に固定される。この布地部は、厚さ方向において第２の層に積層される。この布地部は、接触の際の快適さをもたらす。この布地部は、接触の心地よい特性を主に有する。層の配置は、鼻部分の厚さｅ５２が、第１層ｅ５２１、第２の層ｅ５２２、及び布地部の厚さの和に対応するようになっている。鼻部分５２の材料は、このようにして外枠２から第１層５２１と、第２の層５２２と、布地部５２３とを連続して含む。実施形態によれば、第１層の厚さｅ５２１は、鼻部分の厚さｅ５２の１０〜３０％である。第２の層の厚さｅ５２２は、鼻部分の厚さｅ５２の７０〜９０％である。例えば、第１層の厚さｅ５２１は、約４ミリメートルであり、かつ第２の層の厚さｅ５２２は、約１２ミリメートルである。鼻領域において、快適要素は、顔の外形への良好な適応性及び良好な快適さを確実にしなければならない。このために、鼻部分は、最小の接触圧力によって被覆される顔の形状と一致するように変形する必要がある。実際に、この領域に存在する軟骨により、顔のこの領域部分を敏感にする。従って、マスクによるこの顔領域に及ぼされる圧力を減少させることが好ましい。このことは、使用者の呼吸を容易にするために鼻孔の通りを良くすることも可能にする。快適さは、主に第２の層によってもたらされる。第１層は、同様に快適さに貢献し、漸進的な緩和を可能にし、マスクの維持のための弾性をもたらす。
【００３６】
この実施形態によれば、鼻部分の厚さｅ５２は、前頭部分の厚さｅ５１よりも大きい。例えば、前頭部分の厚さｅ５１は、鼻部分の厚さｅ５２の６０〜８０％である。この例示に関して、厚さの変動は、第２の層の厚さｅ５１２／ｅ５２２の変動によって本質的に製作される。
【００３７】
例示した実施形態において、快適要素は、２つの他の異なる部分を含む。
【００３８】
第３の部分は、使用者の顔の左こめかみ及び左頬を覆う厚さｅ５３の左側方部分５３を構成する。この左側方部分は、前頭部分の左端部を鼻部分の左端部に連結する。この左側方部分は、複合材料から構成される、すなわち複数の層を含む。厚さｅ５３１の第１の層５３１は、外枠２の背面に固定される。この例において、この第１の層は、第１のタイプのフォーム材で形成される。具体的には、第１の層は密度約６０ｋｇ／ｍ３のポリウレタンフォームで形成される。厚さｅ５３２の第２の層５３２は、第１の層５３１に固定される。第２の層は、外枠から遠ざかる方向において、厚さ方向において第１の層に積層される。この実施例において、この第２の層は、第２のタイプのフォーム材で形成される。具体的には、第２の層は密度約２０ｋｇ／ｍ３のポリウレタンフォームで形成される。最後に、薄い布地部５３３は、第２の層５３２に固定される。この布地部は、外枠からの厚さ方向において第２の層に積層される。この布地部は、接触の際に快適さをもたらす。この布地部は、接触の心地よい特性を主に有する。層の配置は、左側方部分の厚さｅ５３が、第１の層ｅ５３１、第２の層ｅ５３２、及び布地部の厚さの和に対応するようになっている。左側方部分５３の材料は、このようにして外枠２から第１の層５３１と、第２の層５３２と、布地部５３３とを連続して含む。実施形態によれば、第１の層の厚さｅ５３１は、左側方部分の厚さｅ５３の３０〜５０％である。第２の層の厚さｅ５３２は、左側方部分の厚さｅ５３の５０〜７０％である。例えば、第１の層の厚さｅ５３１は、約４ミリメートルであり、かつ第２の層の厚さｅ５３２は、約８ミリメートルである。
【００３９】
第４の部分は、使用者の顔の右こめかみ及び右頬を覆う厚さｅ５４の右側方部分５４を構成する。この右側方部分５４は、左側方部分５３と対称的に同一である。右側方部分は、左側方部分５３と同様な構成及び特性を有する。右側方部分は、厚さｅ５４１の第１の層５４１と、厚さｅ５４２の第２の層５４２と、布地部５４３とを含む。
【００４０】
この実施例において、側方部分の厚さｅ５３、ｅ５４は、鼻部分の厚さｅ５２よりも薄く、かつ前頭部分の厚さｅ５１とほぼ等しい。好適には、側方部分５３、５４に使用される材料は、鼻及び前頭部分に使用される材料に対して中間の機械的圧縮特性を有する。あるいは、側方部分５３、５４に使用される材料は、鼻部分又は前頭部分に使用される材料と同様の機械的圧縮特性を有するものでもよい。
【００４１】
異なる部分において、快適要素のこの構成に変更を加えて、破損した、又はすり減った部分を容易に取り繕うことができる。このことは、顔に対する複数の支承領域における接触圧力を増減させて変動させ、使用者の快適さを調整することも可能にする。他方で、このことは、顔の外形への適応を改善できるようにする。例えば、鼻の大きさに応じて、適応した厚さを有する鼻部分を使用できる。この互換性を容易にするために、別の部材を、外枠に取り外し可能に取り付けるにしてもよい。このような引っ掛け手段としては、フック（ＶＥＬＣＲＯ（登録商標））ボタン、クリップ等のタイプであってもよい。
【００４２】
上記した実施例において、快適要素５は、１０〜２０ミリメートルのほぼ一定の幅の帯体を形成する。帯体は、ほぼ矩形の全体形状を呈する、目を囲む「閉鎖された」環状体を構成する。帯体の厚さは、上記した実施形態に応じて変動してもよい。帯体は、下部において、呼吸を妨げないために鼻翼の通りを良くするための逆「Ｖ」字の形態を形成する。
【００４３】
図４は、ベルトが取り外された、図２及び図３に例示したマスクの簡略化された背面図である。
【００４４】
快適要素は、必ずしも異なる４つの部分から構成される必要はなく、更に多くの部分、又は更に少ない部分を含むように構成してもよい。例えば、快適要素は、２つの部分のみで構成するようにしてもよい。
【００４５】
図５から図６は、２つの部分を含む快適要素を備えたマスクの２つの他の実施形態を例示する。これらの図は、ベルトが取り外された簡略化された背面図である。
【００４６】
図５は、快適要素が、上述したものと同様の前頭部分５１と、鼻の一部、頬及びこめかみを覆う下部部分５２ｂとを含む第２の実施形態を例示する。下部部分５２ｂは、鼻部分と、第１の実施形態の２つの側方部分との組み合わせにほぼ対応する。これら３つの異なる部分は、連続した一体的な部材として下部部分５２ｂを構成する。この実施形態において、下部部分５２ｂの厚さは、可変であり、例えば鼻の高さで更に厚い。
【００４７】
図６は、快適要素が、額の一部、頬及びこめかみを覆う上部部分５１ｃと、上記したものと同様の鼻部分５２とを含む第３の実施形態を例示する。上部部分５１ｃは、前頭部分と、第１の実施形態の２つの側方部分との組み合わせにほぼ対応する。これら３つの異なる部分（前頭部分と２つの側方部分）は、連続した一体的な部材を構成する。
【００４８】
代替的には、顔に対する異なる支承領域の間の境界線は、種々の態様で位置付けられ得る。例えば、前頭領域は、こめかみを覆うことができ、かつ側縁部の中央で終わってもよい。
【００４９】
記載された実施形態において、快適要素の部分に使用される材料は、２つの層で構成される。あるいは、材料は、更なる層、例えば密度が漸進的に変化する連続するフォーム材を含んでもよい。このことは、良好な外形適応性及び漸進的な緩衝／変形を有することを可能にし、着用の快適さを改善する。
【００５０】
別の実施形態によれば、材料は、単層とすることができる。
【００５１】
変形形態において、快適要素の様々な部分間の層数は、同じである必要はない。例えば、鼻部分は単層材料で形成し、前頭部分は２層を有する材料で形成したり、又はその逆の層構成を有するようにしてもよい。
【００５２】
更に、別の代替的な解決策において、快適要素は、異なる構成部分に共通の連続した第１の層と、各構成部分に特有の第２の層とを含む構造としてもよい。この構造は、外枠に組みつけられない時に扱うことが更に簡易な単一の快適要素を有することを可能にする。
【００５３】
快適要素の部分は、接着、溶接、又は取り外し可能な引っ掛け手段によって外枠に組み付けられ得る。
【００５４】
別の実施形態においては、快適要素の層及び／又は快適要素の部分は、デュアルインジェクション又はオーバーモールドによって製作でき、一体的な部材構成を有することを可能にする。
【００５５】
別の変形形態においては、快適要素は、目の周りに伸長する連続したフォームから熱成形によって製作される。熱成形による製作は、例えば支承領域に応じて、フォームの厚さを変えることを可能にする。このようにして、快適要素の鼻部分をより厚い領域に、そして快適要素の前頭部分をより薄い領域に形成することができる。熱成形による局所的な厚さの増減は、その領域でのフォーム密度の可変を可能にする。
【００５６】
あるいは、快適要素は、熱成形され、マスクの外枠と連携するための、複数の異なる部分を含んでもよい。
【００５７】
当然に、上記に記載した以外のフォーム密度の値を適用することもできる。
【００５８】
本発明は、上記した実施形態に限定されない。これらの実施形態における構成を組み合わせることも可能である。
【００５９】
本発明は、上記した実施形態に限定されず、添付の請求項によって包含される全ての技術的範囲に及ぶ。
【符号の説明】
【００６０】
１  マスク
２  外枠
３  スクリーン
４  ベルト
５  快適要素
５１  前頭部分
５１１  第１の層
５１２  第２の層
５１３  布地部分
５２  鼻部分
５２１  第１の層
５２２  第２の層
５２３  布地部分
５３  左側方部分
５３１  第１の層
５３２  第２の層
５３３  布地部分
５４  右側方部分
５４１  第１の層
５４２  第２の層
５４３  布地部分
【図１】
2016107098.tif 000003
【図２】
2016107098.tif 000004
【図３】
2016107098.tif 000005
【図４】
2016107098.tif 000006
【図５】
2016107098.tif 000007
【図６】
2016107098.tif 000008